(57)【要約】【課題】  水側および湯側の流通孔にそれぞれ横孔を形成し、これら横孔を非ネジ構造の軸状のプラグで択一的に閉塞すべく構成することにより、分岐口から水または熱湯の分岐流出ができるのは勿論、水側および湯側の流通孔は段差のないストレート孔でよく、またプラグおよび横孔にはネジ切り加工が不要で、該プラグを専用工具なしに簡単に着脱することができるうえ、スリム形状の分岐栓本体にも有効な分岐口アタッチメントの提供を目的とする。【解決手段】  外筒１１に内設された分岐栓本体１２に水、湯および湯水の流通孔２６，２７が独立して軸方向に貫通形成された分岐口アタッチメント１０であって、水側および湯側の流通孔２６，２７にそれぞれ横孔３３，３４を形成し、これら横孔３３，３４を非ネジ構造の軸状のプラグ５０で択一的に閉塞すべく構成したことを特徴とする。【選択図】  図７
2005265140.tif 000002
【特許請求の範囲】
【請求項１】
外筒に内設された分岐栓本体に水、湯および湯水の流通孔が独立して軸方向に貫通形成された分岐口アタッチメントであって、
水側および湯側の流通孔にそれぞれ横孔を形成し、
これら横孔を非ネジ構造の軸状のプラグで択一的に閉塞すべく構成した
分岐口アタッチメント。
【請求項２】
上記プラグ外端を外筒の内周面に近接または当接させた
請求項１記載の分岐口アタッチメント。
【請求項３】
上記外筒にはプラグの非装着により選択された横孔から水または湯を分岐流出させる分岐点が設けられ、
上記プラグの軸芯線を分岐部の軸芯線に対してオフセットさせた
請求項１または２記載の分岐口アタッチメント。
【請求項４】
上記横孔の内周と上記プラグの外周との間にはシール部材が介設された
請求項１〜３の何れか１に記載の分岐口アタッチメント。
【発明の詳細な説明】
【技術分野】
【０００１】
この発明は、既設のシングルレバー式湯水混合栓に追加設定して水および湯を分岐供給したり、または浄水器に水道水を分岐供給するような分岐口アタッチメントに関する。
【背景技術】
【０００２】
一般に、分岐口アタッチメントを有さない従前のシングルレバー式湯水混合栓は、洗面台や、流し台等に混合栓本体を取付け、この混合栓本体の上部には、作動部をもったカートリッジと、操作レバーとを設け、混合栓本体の内部には、ボイラ等に連通する熱湯通路と、水道管に連通する水道水通路とを形成し、上記操作レバーにてカートリッジ上部の作動部を操作した時、熱湯をそのまま、または水道水をそのまま、あるいは熱湯と水道水とを混合した温調流体を、混合栓本体の立上り部に回動可能に配置したスパウトから供給するように構成されている。
【０００３】
ところで、近年、上述のスパウトからの水、湯、混合流体の他に食器洗い器や水処理器（浄水器、アルカリイオン水器）に湯または水を分岐供給することが要請されている。
【０００４】
そこで、本出願人は既設のシングルレバー式湯水混合栓に追加設定して、食器洗い器に熱湯を分岐供給したり、または浄水器に水道水を分岐供給することができる分岐口アタッチメントを既に発明した（特許文献１参照）。
【０００５】
この分岐口アタッチメントは混合栓本体の立上がり部とカートリッジとの間に介設されるもので、図１１に示すように構成されている。  
すなわち、この分岐口アタッチメント１００は、外筒１０１（いわゆるハブ）と、この外筒１０１に内設された分岐栓本体１０２とを備え、外筒１０１の上部外周には図外の既設水栓のカバーナットを取付けるネジ部１０３を設ける一方、外筒１０１の上下方向中間部には分岐口１０４を形成し、この分岐口１０４にネジ部材１０５を介してジョイント１０６を取付けている。
【０００６】
また、分岐栓本体１０２には水道水流入孔１０７と、熱湯流入孔（図示せず）と、湯水流出孔１０８とを独立させて軸方向Kに貫通形成すると共に、分岐栓本体１０２において分岐口１０４と対応する外周部には輪溝１０９形成している。
【０００７】
さらに、この輪溝１０９の形成部位において水道水流入孔１０７および熱湯流入孔（図示せず）と輪溝１０９とを横方向に連通させる横孔１１０（但し、図１１では水側の横孔のみを示す）をそれぞれ形成し、熱湯を分岐流出させる場合には図１１に示すように水道水流入孔１０７にスリーブ１１１を挿入して、このスリーブ１１１で水道水流入孔１０７と連通する横孔１１０を閉塞して、熱湯流入孔からの熱湯を図外の横孔から輪溝１０９を介して、分岐口１０４から分岐流出すべく構成し、水道水を分岐流出させる場合には、上述のスリーブ１１１を水道水流入孔１０７から取外した後に、このスリーブ１１１を熱湯流入孔（図示せず）に挿入して、このスリーブ１１１で熱湯流入孔と連通する横孔を閉塞して、水道水流入孔１０７からの水道水を横孔１１０から輪溝１０９を介して、分岐口１０４から分岐流出すべく構成している。
【０００８】
ここで、上述のスリーブ１１１はその上下両端が中間部に対して小径に形成され、この小径部と流入孔１０７との間にはシール性を確保する目的で、Ｏリング１１２，１１３が介設される一方、水道水流入孔１０７および熱湯流入孔（図示せず）の下部内周には、Ｏリング１１４とパッキング１１５とを備えたシートブッシュ１１６が設けられていて、スリーブ１１１の装着の有無にかかわらず、水道水流入孔１０７と熱湯流入孔（図示せず）との流入側（図示下側）における流体通過面積が同一になるように構成されている。
【０００９】
なお、図１１において外筒１０１の下部外周には取付けリング１１７を介して取付けナット１１８が回転自在に設けられていて、この取付けナット１１８が混合栓本体の立上り部に連結される。
【００１０】
図１１で示した従来の分岐口アタッチメント１００においては、シートブッシュ１１６およびスリーブ１１１の簡単な挿脱操作により分岐口１１０から熱湯または水道水を容易に分岐流出することができる利点がある反面、複雑形状のシートブッシュ１１６と多段筒軸構造のスリーブ１１１との２種類の別部材が必要不可欠となるうえ、水道水流入孔１０７および熱湯流入孔にも図１１で示したような段差形状の穴加工が必要となり、しかも、分岐栓本体１０２の直径が小さいスマートタイプのワンレバー式湯水混合水栓に図１１で示すスリーブ構造を採用した場合にはスリーブ１１１の肉厚によって水または熱湯の通路断面積が狭小となるので、充分な通水路の確保ができず、したがって、スマートタイプの混合水栓に対する適用が不可となる問題点があった。
【００１１】
一方、上述の特許文献１には上述の横孔１１０をネジ孔に設定し、このネジ孔に対してスクリュータイプのプラグをネジ止め固定する構造も開示されているが、この場合には、横孔１１０およびプラグの双方に別途、ネジ切り加工を施す工程、工数が必要となり、コストアップを招くため実用性に劣る問題点があった。  
【特許文献１】特開平１０−２３１９４０号公報
【発明の開示】
【発明が解決しようとする課題】
【００１２】
この発明は、水側および湯側の流通孔にそれぞれ横孔を形成し、これら横孔を非ネジ構造の軸状のプラグで択一的に閉塞すべく構成することにより、分岐口から水または熱湯の分岐流出ができるのは勿論、水側および湯側の流通孔は段差のないストレート孔でよく、またプラグおよび横孔にはネジ切り加工が不要で、該プラグを専用工具なしに簡単に着脱することができるうえ、スリム形状の分岐栓本体にも有効な分岐口アタッチメントの提供を目的とする。
【課題を解決するための手段】
【００１３】
この発明による分岐口アタッチメントは、外筒に内設された分岐栓本体に水、湯および湯水の流通孔が独立して軸方向に貫通形成された分岐口アタッチメントであって、水側および湯側の流通孔にそれぞれ横孔を形成し、これら横孔を非ネジ構造の軸状のプラグで択一的に閉塞すべく構成したものである。
【００１４】
上記構成によれば、水側の流通孔に連通する横孔をプラグで閉塞すると、湯側の流通孔および同側の横孔を介して分岐口から湯を分岐流出することができ、また湯側の流通孔に連通する横孔をプラグで閉塞すると、水側の流通孔および同側の横孔を介して分岐口から水を分岐流出することができる。
【００１５】
このように、分岐口から水または湯の分岐流出ができるのは勿論、横孔をプラグにて閉塞する構造であるから、水側および湯側の流通孔は段差のないストレート孔でよく、またプラグおよび横孔にはネジ切り加工が不要なうえ、該プラグを専用工具を用いることなく簡単に着脱することができる。さらに水側および湯側の流通孔がスリーブにより狭小化されることがないので、外径がコンパクトなスリム形状の分岐栓本体に適用しても、充分な通水路を確保することができる。
【００１６】
この発明の一実施態様においては、上記プラグ外端を外筒の内周面に近接または当接させたものである。  
上記構成によれば、プラグが水や湯の圧力（内圧）によって抜け出すのを確実に防止することができる。  
この発明の一実施態様においては、上記外筒にはプラグの非装着により選択された横孔から水または湯を分岐流出させる分岐部が設けられ、上記プラグの軸芯線を分岐部の軸芯線に対してオフセットさせたものである。
【００１７】
上記構成によれば、上述のオフセット構造により、プラグに作用する水や湯の圧力（内圧）の影響がより一層小さくなり、プラグの抜け出し方向への移動をさらに良好に防止することができる。
【００１８】
この発明の一実施態様においては、上記横孔の内周と上記プラグの外周との間にはシール部材が介設されたものである。  
上述のシール部材はＯリングに設定してもよく、また上記シール部材は横孔の内周と、プラグの外周との何れか一方のみに設けてもよい。  
上記構成によれば、シール部材により、横孔とプラグとの両者間のシール性を確保することができる。
【発明の効果】
【００１９】
この発明によれば、水側および湯側の流通孔にそれぞれ横孔を形成し、これら横孔を非ネジ構造の軸状のプラグで択一的に閉塞すべく構成したので、分岐口から水または熱湯の分岐流出ができるのは勿論、水側および湯側の流通孔は段差のないストレート孔でよく、またプラグおよび横孔にはネジ切り加工が不要で、該プラグを専用工具なしに簡単に着脱することができるうえ、スリム形状の分岐栓本体にも有効となる効果がある。
【発明を実施するための最良の形態】
【００２０】
分岐口から水または熱湯の分岐流出ができ、水側および湯側の流通孔が段差を有さないストレート孔でよく、またプラグおよび横孔にはネジ切り加工が不要なうえ、該プラグを専用工具なしに簡単に着脱することができ、さらに、スリム形状の分岐栓本体にも有効になるという目的を、水側および湯側の流通孔にそれぞれ横孔を形成し、これら横孔を非ネジ構造の軸状のプラグで択一的に閉塞するという構造にて実現した。
【実施例】
【００２１】
この発明の一実施例を以下図面に基づいて詳述する。  
図面は分岐口アタッチメントを示し、図１に実線で示すこの分岐口アタッチメント１０は同図に仮想線で示す混合栓本体１の立上り部１ａと、カートリッジ２との間に介設されるものである。上述のカートリッジ２はその上部に作動部３を有すると共に、このカートリッジ２はカバーナット４により分岐口アタッチメント１０の上部に締付け固定される。
【００２２】
また、カートリッジ２上部の作動部３は操作レバー５（いわゆるレバーハンドル）にて操作されるように構成する一方、混合栓本体１の立上り部１ａの外周にはスパウト６の基部６ａが回動自在に装着されている。
【００２３】
ここで、上述の混合栓本体１は水道管に連通する水道水通路と、ボイラ等に連通する熱湯通路とを有し、水または熱湯は図１に矢印ａで示すように分岐口アタッチメント１０（詳しくは後述する水道水流入孔２６または熱湯流入孔２７参照）を介して上方へ流動し、操作レバー５にてカートリッジ２上部の作動部３を操作した時に、水道水をそのまま、または熱湯をそのまま、あるいは水道水と熱湯とを混合した温調流体を流出液体（混合流体）として図１に矢印ｂで示すように一旦、混合栓本体１の立上り部１ａ内に流下させた後に、矢印ｃで示すようにスパウト６から供給し得るように構成している。
【００２４】
図２は分岐口アタッチメント１０の平面図、図３は図２のＡ−Ａ線に沿う要部の断面図、図４は図２のＢ−Ｂ線矢視断面図であって、この分岐口アタッチメント１０は、外筒１１（いわゆるハブ）と、この外筒１１に内設される分岐栓本体１２と、後述する分岐口１９（図５参照）にネジ部材１３を介して回転自在に取付けられる袋ナット構造のジョイント１４と、分岐口アタッチメント１０を図１で示した混合栓本体１の立上り部１ａに固定するための取付けナット１５とを備えている。
【００２５】
図５は分岐口アタッチメント１０の分解図であって、上述の外筒１１は上部の薄肉部１６と、中間部と厚肉部１７とを備え、薄肉部１６外周にはネジ部１８を形成して、このネジ部１８に図１で示したカバーナット４を取付けるように構成している。
【００２６】
また厚肉部１７の一部には分岐口１９およびネジ孔２０を形成する一方、外筒１１の下部外周にはリング溝２１を凹設し、図４に示すように、このリング溝２１に取付けリング２２を介して上述の取付けナット１５を回転自在に取付けている。
【００２７】
さらに薄肉部１６の内径を他部に対して小径に設定し、薄肉部１６内周の小径部２３と他部内周の大径部２４との間に段差部２５を形成している。  
分岐栓本体１２は図２〜図５に示すように構成している。すなわち、該分岐栓本体１２には、水側の流通孔としての水道水流入孔２６と、湯側の流通孔としての熱湯流入孔２７と、湯水流出孔２８とを該分岐栓本体１２の軸方向に沿って独立して貫通形成している。
【００２８】
また、この分岐栓本体１２の外周部は外筒１１の内周部に対応するように上側の小径部２９と、下側の大径部３０とを有し、これらの間には段差部３１が形成されている。この段差部３１と外筒１１の段差部２５とにより、分岐栓本体１２を外筒１１の下方から該外筒１１内に挿入した時、分岐栓本体１２を定位置に位置決めすることができる。
【００２９】
さらに、上述の大径部３０の外周中間には輪溝３２を形成すると共に、この輪溝３２と水道水流入孔２６および熱湯流入口２７とを各別に連通するように横方向に延びる連通孔としての横孔３３，３４がそれぞれ形成されている。
【００３０】
また、図５に示すように、上述の大径部３０の外周上下両部にはＯリング溝３５，３６が形成され、これらの各Ｏリング溝３５，３６には図３、図４に示すようにシール部材としてのＯリング３７，３８が嵌着されている。
【００３１】
図６は分岐栓本体１２の底面図であって、この分岐栓本体１２の底部には水道水流入孔２６、熱湯流入孔２７、湯水流出孔２８の各孔縁に沿って三つ輪形状のＯリング溝３９が凹設され、このＯリング溝３９には対応形状のシール部材としてのＯリング４０が嵌着されている。
【００３２】
このように、分岐栓本体１２の底部において分岐栓本体１２の底面と、混合栓本体１の立上り部１ａ上面との間のシールが行なわれるので、これら両者１２，１ａ間のシール構造の簡略化を図ることができる。つまり、図１１で示したパッキング１１５の配設構造と、パッキング配設用の段差溝形成とを省略することができる。
【００３３】
また、図２、図４に示すように、上述の分岐栓本体１２の上部にはカートリッジ２を位置決めするためのピン孔４１，４１を形成すると共に、これらのピン孔４１，４１と上下方向に対応させて分岐栓本体１２の下部には図４、図６に示すようにノックピン４２，４２（位置決めピン）を一体または一体的に突設し、これらノックピン４２，４２により分岐栓本体１２を混合栓本体１の立上り部１ａに位置決めするように構成している。
【００３４】
上述のネジ部材１３は図５に示すように先端部外周にネジ部４３を有し、内径側にセレーション部４４を有する筒状の部材であって、上述のネジ部４３は外筒１１のネジ孔２０に取付けられる。
【００３５】
また、上述のネジ部材１３の後端側にはジョイント１４を回転自在に保持する環状の鍔部４５が一体形成されている。  
上述のジョイント１４は、その内径側に鍔部４５で保持される保持孔４６と、ネジ孔４７とを有する袋ナット形状に構成されている。
【００３６】
そして、ネジ部材１３の鍔部４５にジョイント１４の保持孔４６の孔縁を保持させた状態下において、ネジ部材１３のセレーション部４４を利用して、このネジ部材１３のネジ部４３を外筒１１のネジ孔２０に締付けると図４に示すように、外筒１１にネジ部材１３を介してジョイント１４を回転自在に取付けることができる。
【００３７】
取付けナット１５は、図４に示す取付けリング２２を配置する凹状のリング溝４８と、混合栓本体１の立上り部１ａにおける対応部に締付け固定するためネジ孔４９とをその内周側に形成した袋ナット構造に形成されている。
【００３８】
ところで、図３、図５に示すように、分岐栓本体１２の水側の横孔３３と湯側の横孔３４とを択一的に閉塞する非ネジ構造の軸状のプラグ５０を設けている。
【００３９】
このプラグ５０は軸部５１と頭部５２とを備え、軸部５１の外周にはＯリング溝５３を形成して、このＯリング溝５３には、プラグ５０と横孔３３または３４との間をシールするシール部材としてのＯリング５４を嵌着している。このプラグ５０が取付けられる横孔３３，３４側の外端部にはプラグ５０の頭部５２の一部のみを挿入し、それ以上の挿入を阻止する環状の段差部５５，５６が凹設されている。
【００４０】
図５に分解図で示した各要素を組付けると図４に示す分岐口アタッチメント１０が構成され、このアタッチメント１０は１つのユニットとしてモジュール化されており、この分岐口アタッチメント１０は図１で既述したように、混合栓本体１の立上り部１ａとカートリッジ２との間に介設されるものである。
【００４１】
この場合、熱湯を分岐流出すべく分岐栓本体１２の水側の横孔３３をプラグ５０で閉塞して組付けると図７のようになり、水道水を分岐流出すべく分岐栓本体１２の湯側の横孔３４をプラグ５０で閉塞して組付けると図８のようになる。なお分岐口は組付け時に自由に方向を変えることができる。
【００４２】
図７の要部拡大図を図９に示すように各要素１１，１２，１３，１４，１５，５０が使用状態下に組付けられた状態下においては、プラグ５０の頭部５２の外端は外筒１１の内周面に近接または当接する。図９に示す実施例では外筒１１の組付け性を考慮して、プラグ５０の頭部５２外端と、外筒１１の内周面との間に微少クリアランスＬが形成されている。
【００４３】
しかも、上述のプラグ５０を何れの横孔３３，３４に取付けた状態下においても、プラグ５０の軸芯線αが分岐口１９の軸芯線βに対して分岐栓本体１２の軸方向にオフセットするように構成されている。
【００４４】
図７に示すように、単一のプラグ５０で水側の横孔３３を閉塞した場合には、熱湯Ｈは同図に矢印で示すように熱湯流入孔２７、横孔３４、輪溝３２、分岐口１９を介して分岐流出される一方、水道水が水道水流入孔２６に流入した場合、プラグ５０は水圧により微小クリアランスＬが零になるまで横方向に移動するが、それ以上の移動は外筒１１の内壁で阻止されるので、水道水が横孔３３から漏出することはない。
【００４５】
図８に示すように、単一のプラグ５０で湯側の横孔３４を閉塞した場合には、水道水Ｗは同図に矢印で示すように水道水流入孔２６、横孔３３、輪溝３２、分岐口１９を介して分岐流出される一方、熱湯が熱湯流入孔２７に流入した場合、プラグ５０は水圧により微小クリアランスＬが零になるまで横方向に移動するが、それ以上の移動は外筒１１の内壁で阻止されるので、熱湯が横孔３４から漏出することはない。
【００４６】
また、上述の微少クリアランスＬが零になるまでプラグ５０が横方向に移動しても、該プラグ５０の軸部５１に嵌着したＯリング５４にて、プラグ５０と横孔３３または３４との間が確実にシールされているので、充分なシール性を確保することができる。
【００４７】
さらに、上述のプラグ５０の先端は凸状の球面形状に形成されていて、水圧による横方向への移動前および移動後の何れにおいても、プラグ５０先端と各流入孔２６，２７周面とが、略面一状であるため、水道水Ｗや熱湯Ｈ（貫流水）の流れを乱すことはない。
【００４８】
図１０はプラグ構造の他の実施例を示し、この実施例ではプラグ５０を横孔３３または３４に挿入した時、プラグ５０先端と流入孔２６，２７内周面とが面一状になるように、該プラグ５０先端は凹状の曲面に形成され、かつプラグ５０の軸部５１の装着性を考慮して、軸部５１先端には面取り部５１ａを形成している。
このように、プラグ５０先端を流入孔２６，２７の内周面と面一になる曲面に形成すると、プラグ５０の挿入方向が特定されるので、プラグ５０と分岐栓本体１２との両者にはマークを付設することが望ましい。
【００４９】
また、この実施例では横孔３３，３４外端部の段差部５５，５６を省略し、プラグ５０の頭部５２を横孔３３，３４の孔縁外端部にて受け止めるように構成している。
【００５０】
さらに、プラグ５０を組付けた分岐栓本体１２を外筒１１に組込んだ時、プラグ５０の頭部５２外端が外筒１１の内周面に当接し、微少クリアランスＬが零になるように形成している。
【００５１】
このように構成すると、水圧によるプラグ５０の横方向への移動を完全に阻止することができる。なお、図１０において前図と同一の部分には同一符号を付して、その詳しい説明を省略するが、外筒１１および分岐栓本体１２は黄銅、青銅またはＳＵＳ（ステンレス）等で構成してもよく、また取付けリング２２はＳＵＳ（ステンレス）にて構成してもよい。
【００５２】
このように上記実施例の分岐口アタッチメント１０は、外筒１１に内設された分岐栓本体１２に水、湯および湯水の流通孔（水道水流入孔２６、熱湯流入孔２７、湯水流出孔２８参照）が独立して軸方向に貫通形成された分岐口アタッチメントであって、水側および湯側の流入孔２６，２７にそれぞれ連通孔としての横孔３３，３４を形成し、これら横孔３３，３４を非ネジ構造の軸状かつ単一のプラグ５０で択一的に閉塞すべく構成したものである。
【００５３】
この構成によれば、水側の流入孔２６に連通する横孔３３をプラグ５０で閉塞（図７参照）すると、湯側の流入孔２７および同側の横孔３４を介して分岐口１９から湯を分岐流出することができ、また湯側の流入孔２７に連通する横孔３４をプラグ５０で閉塞（図８参照）すると、水側の流入孔２６および同側の横孔３３を介して分岐口１９から水を分岐流出することができる。
【００５４】
このように、分岐口１９から水または湯の分岐流出ができるのは勿論、横孔３３または３４を単一のプラグ５０にて択一的に閉塞する構造であるから、水側および湯側の流入孔２６，２７は段差のないストレート孔でよく、またプラグ５０および横孔３３，３４にはネジ切り加工が不要なうえ、該プラグ５０を何等専用工具を用いることなく、作業者の指先操作にて簡単に着脱することができる。さらに水側および湯側の流入孔２６，２７がスリーブ（図１１で示した従来のスリーブ１１１参照）により狭小化されることがないので、外径がコンパクトなスリム形状の分岐栓本体１２に適用しても、充分な通水路を確保することができる。
【００５５】
また、上記プラグ５０の外端を外筒１１の内周面に近接（図９参照）または当接（図１０参照）させたものである。
【００５６】
この構成によれば、プラグ５０が水や湯の圧力（内圧）によって抜け出すのを確実に防止することができる。  
さらに、上記外筒１１にはプラグ５０の非装着により選択された横孔３３または３４から水または湯を分岐流出させる分岐部（分岐口１９参照）が設けられ、上記プラグ５０の軸芯線αを分岐部（分岐口１９参照）の軸芯線βに対してオフセットさせたものである。
【００５７】
この構成によれば、上述のオフセット構造により、プラグ５０に作用する水や湯の圧力（内圧）の影響がより一層小さくなり、プラグ５０の抜け出し方向への移動をさらに良好に防止することができる。
【００５８】
加えて、上記横孔３３，３４の内周と上記プラグ５０の外周との間にはシール部材（Ｏリング５４参照）が介設されたものである。  
この実施例では上述のシール部材はＯリング５４に設定され、また該Ｏリング５４はプラグ５０の外周部にサブアセンブリされて、Ｏリング５４とプラグ５０とが一体化されている。
【００５９】
この構成によれば、シール部材（Ｏリング５４参照）により、横孔３３，３４とプラグ５０との両者間の良好なシール性を確保することができる。
【００６０】
この発明の構成と、上述の実施例との対応において、  
この発明の水、湯および湯水の流通孔は、実施例の水道水流入孔２６、熱湯流入孔２７および湯水流出孔２８（いずれも貫通孔）に対応し、  
以下同様に、  
水側の流通孔は、水道水流入孔２６に対応し、  
湯側の流通孔は、熱湯流入孔２７に対応し、  
分岐部は、分岐口１９に対応し、  
シール部材は、Ｏリング５４に対応するも、  
この発明は、上述の実施例の構成のみに限定されるものではない。
【００６１】
例えば、分岐口１９とプラグ５０とのオフセット構造は、その軸芯線α，βのオフセット構造を含んで、分岐口１９それ自体とプラグ５０それ自体とが分岐栓本体１２の軸方向にオフセットする構造を採用してもよい。
【図面の簡単な説明】
【００６２】
【図１】本発明の分岐口アタッチメントを示す使用状態図。
【図２】分岐口アタッチメントの平面図。
【図３】図２のＡ−Ａ線に沿う要部の断面図。
【図４】図２のＢ−Ｂ線矢視断面図。
【図５】分岐口アタッチメントの分解図。
【図６】分岐栓本体の底面図。
【図７】熱湯の分岐流出を示す断面図。
【図８】水道水の分岐流出を示す断面図。
【図９】図７の要部拡大断面図。
【図１０】プラグ構造の他の実施例を示す拡大断面図。
【図１１】従来の分岐口アタッチメントの断面図。
【符号の説明】
【００６３】
１１…外筒
１２…分岐栓本体
１９…分岐口
２６…水道水流入口（水側の流通孔）
２７…熱湯流入孔（湯側の流通孔）
２８…湯水流出孔（湯水の流通孔）
３３，３４…横孔
５０…プラグ
５４…Ｏリング（シール部材）
【図１】
2005265140.tif 000003
【図２】
2005265140.tif 000004
【図３】
2005265140.tif 000005
【図４】
2005265140.tif 000006
【図５】
2005265140.tif 000007
【図６】
2005265140.tif 000008
【図７】
2005265140.tif 000009
【図８】
2005265140.tif 000010
【図９】
2005265140.tif 000011
【図１０】
2005265140.tif 000012
【図１１】
2005265140.tif 000013